(57)【要約】      （修正有）【課題】水やりや他のケアに関して最小限の努力だけが必要となり、自然の生息地に適用されたランが栄える花瓶を提供する。【解決手段】ガラス体を備え、当該ガラス体が、花瓶足部１０から延び、花瓶外壁１２によって形成され、花瓶外壁１２から胴部頂点１４で統合し、胴部端部１５に至り、このようにして花瓶胴部１３を形成し、花瓶開口で開口した花瓶が記載されている。このガラス体は、栽培媒体３が浸る栄養溶液４で満たされ、当該栄養溶液４にランの根２０が付着している。ランの自然生息地をまねた環境は、花瓶胴部１３の特別な形状によって生じ、根２０と葉２２によって花瓶の開口が閉じられることによってほとんど完成する。栽培媒体３としての木炭３を用いることによって、めったに栄養溶液４を供給する必要がなくなり、根２０が腐ること防止することができる。【選択図】図２
2007325582.tif 000002
【特許請求の範囲】
【請求項１】
ランを栽培する花瓶において、
中央軸（１６）を有するガラス体（１）を備え、
当該ガラス体（１）は、花瓶足部（１０）と、花瓶開口（１１）で開口した花瓶外壁（１２）とを含み、
前記ガラス体は、栄養溶液（４）と、ラン（２）が付着する多孔性栽培媒体（３）とを受けるのに適しており、
花瓶外壁（１２）は、前記開口の上方にあって、花瓶開口（１１）内へと導く花瓶胴部（１３）を含み、
当該花瓶胴部（１３）は、胴部頂点（１４）と、ガラス体（１）の中央軸（１６）に対して所定の角度で延びる胴部壁（１５）とを含むことを特徴とする花瓶。
【請求項２】
胴部端部（１５）とガラス体（１）の中央軸（１６）との間の角度αは、０°より大きく９０°より小さいことを特徴とする請求項１に記載の花瓶。
【請求項３】
胴部頂点（１４）は、水平状に延びることを特徴とする請求項１に記載の花瓶。
【請求項４】
胴部頂点（１４）は、放射線状に延びることを特徴とする請求項１に記載の花瓶。
【請求項５】
ガラス体（１）は、栽培媒体（３）を有することを特徴とする請求項１に記載の花瓶。
【請求項６】
栽培媒体（３）は、木炭であることを特徴とする請求項５に記載の花瓶。
【請求項７】
請求項１による花瓶の使用方法であって、
花瓶開口（１１）は、擬球根（２１）およびラン（２）の根（２０）が通過することができることを特徴とする記載の花瓶の使用方法。
【請求項８】
ラン（２）の根（２０）および葉（２２）は、胴部頂点（１４）上にあり、
このことによって、ガラス体（１）内の空気が周囲と交換されることを大幅に防止することを特徴とする請求項７に記載の花瓶の使用方法。
【発明の詳細な説明】
【技術分野】
【０００１】
本発明は、ランを栽培する花瓶に係り、中央軸を有するガラス体を備え、当該ガラス体は、花瓶足部と、花瓶開口で開口した花瓶外壁とを含み、前記ガラス体は、栄養溶液と、ランが接着する多孔性栽培媒体とを受けるのに適している花瓶に関する。
【背景技術】
【０００２】
近年、ランの栽培がますます人気となり、栽培掛け合わせの範囲や可能性が大きくなっており、ますます多くの素人が家庭内の部屋、ガラスの陳列ケースおよび温室でランを栽培しようとしている。とりわけ、人が平均的に一世帯あたりに複数のランに出くわすのは、台湾、タイおよびオランダにおけるランの大量製造のおかげである。
【０００３】
一般に、ランは、成長型に従って、限定しない態様で一年中花が咲く。これは、空気湿度、露光量および栄養供給量に関する好ましい条件でのみ可能となる。
【０００４】
ランに熱心な人にとっては、ランを適切にケアし、長い寿命を確実にするために、自然の生息地をまねすることがかなり必要となる。
【０００５】
ランは、異なる方法および態様で生長する。他の植物上におけるランの成長は着生と呼ばれ、ランは寄生植物ではない。いくつかのランの種は、地上すなわち地面の上で、または岩性すなわち岩や石の上でも成長する。それらが共通して有していることは、水や栄養分を吸収し、土や腐植土に埋められていない気根を形成している。
【０００６】
店で最も一般的に売られているのは着生ランである。栽培媒体を有する単純なプラスチックポット内で最も手に入れられ、当該媒体にランは根で付着している。これらは、ランの自然の生息地をまねするために、木の切れ端、小さな小枝または樹皮上に、大抵配置され、この手段によって、自然の木の枝がまねされている。最近、多孔性の粘土、ポリスチレンまたはココナッツ繊維の栽培媒体を手に入れることができる。
【０００７】
できるだけ正確に、ランの自然の生息地をまねするために、植物の近辺で湿気があり、暖かい環境を確実にしなければならない。高い温度は大きな問題を起こさないが、適用された栽培媒体の吸収能力に応じて、ランはしばしば水を供給され、ときどき栄養分も供給されなければならない。
【０００８】
ランが快適に感じるために、相対的な空気湿度は４０％と８０％の間になければならないことが分かっている。ヨーロッパの部分的に完全に過剰に加熱されたヨーロッパのリビングルームでは乾ききり、二重ガラスを有するリビングルームでは空気湿度がしばしば２０％にまで落ちるので、これらのリビングルームにおいてこれを達成することはとりわけ容易ではない。
【０００９】
ランの一般的な水やりは、望ましい湿気レベルに達するための解決法ではない。部屋空気内での比較的低い湿度のため、ランは葉を介して多くの水を蒸発させ、気根は水の中になければならないので、このことによって、人は継続的に繰り返し水をやることが必要となる。
【００１０】
従来用いられていた保持容器および花瓶内において、より多くの部分の根があらわとなり、根の表面が妨害されない方法で周りから湿気を吸収するように、根を有するランは、堅固に適用された培養物に付着する。この方法によって、植物は、葉の表面によって湿気を失うだけでなく、根を介しても湿気を失う。
【００１１】
これに加え、粘土や人工的に製造された材料だけでなく木や樹皮の片のような従来用いられていた栽培媒体は、湿った環境にあるとき、腐敗し、腐り、菌によって汚染される傾向にあるということが事実である。
【発明の開示】
【発明が解決しようとする課題】
【００１２】
本発明の目的は、水やりや他のケアに関して最小限の努力だけが必要となり、自然の生息地に適用されたランが栄える花瓶を提供することである。
【課題を解決するための手段】
【００１３】
この目的は、請求項１の特徴を有する装置によって達成される。
【００１４】
好ましい具体的形態は、従属項に示されている。
【００１５】
本発明は、以降、図面と組み合わせて記載される。
【発明を実施するための形態】
【００１６】
本発明は、ラン、特に着生して成長するラン２、を栽培するための花瓶であり、当該花瓶は、花瓶外壁１２から続く花瓶足部１０によって形成されたガラス体１からなっている。
【００１７】
花瓶足部１０に向かい合って存在する花瓶外壁１２は、花瓶胴部１３を形成している。この花瓶胴部１３は、水平状または放射線状に走る胴部頂点１４によって形成され、胴部端部１５内に至っている。花瓶開口１１は、花瓶足部１０に対面した胴部端部１５の端部に配置されている。
【００１８】
このような形状の花瓶本体１は、光透過性を有し耐水性の容器を形成し、当該容器の中に、各々の場合に、一つ以上の根２０、擬球根２１、葉２３、円錐花序２３および花２４からなるラン２が配置される。根２０は、流体吸収し、多孔性の栽培媒体３に接触するようになり、当該栽培媒体３上でラン２は支持される。栽培媒体３と前面で取り付けられた根２０とを有するラン２は、花瓶開口１１を通過してガラス体１内に導入され、花瓶足部１０上に載って配置されている。
【００１９】
花瓶開口１１の直径は、葉２２、円錐花序２３および花２４だけが、胴部頂点１４を超えてガラス体１から外方に突出し、栽培媒体３に付着した根２０と擬球根２１が花瓶開口１１を通過するように選択されなければならない。そして、根２０、およびランの種に従って存在し、水と栄養を格納する擬球根２１が、ガラス体１内に配置されている。概ね茎のような根２０と擬球根２１は、少量の空気と蒸気だけが花瓶開口１１を通過するよう、ガラス体１の内部空間を閉じる。ラン２の葉２２は、花瓶胴部上に付加的に横たわり、このことによって、ガラス体１が付加的に閉じられる。花瓶胴部１３の形状と、ガラス体１内にあるラン２の一部、根２０および擬球根２１は、このようにして、ラン２にとって好ましい環境を生成するほとんど閉じた容積（volume）を形成する。
【００２０】
ガラス体の中央軸１６を見ると、胴部端部１５と中間軸１６とが、０より大きく９０°より小さな角度αを囲むべきであるという試みが示されている。そして、花瓶胴部１３の湾曲は、ガラス体１の内部が、根２０および擬球根２１により適切な方法で密封されるように設計され、このようにして特別な環境がガラス体１内に形成される。
【００２１】
自然に生息するラン２は、できるだけ多くの光を吸収するために、しばしば根２０を介して木の上で発見される。水と栄養分を吸収することに加えて、根２０は光合成を実行する仕事も有している。この工程をサポートし、根２０が花瓶から外方に成長することを避けるために、花瓶はガラス体１のように設計されている。
【００２２】
そして、ガラス体１は、吸収特性に応じて流体を吸収する栽培媒体３を湿らせるために、栄養溶液４で満たされている。次に、ランの根２０は、栄養溶液４を吸収する。満たすときに、流体の高さは、根２０が流体内に突出する程度まで上がらないことには気をつけるべきである。栄養溶液は、水でもよい。この水は、非処理水または軟性の水道水でもよい。ラン２は自然の生息地においてほとんど栄養をとらないので、ランに熱心な人に、極端にわずかな方法で肥料をやるということをアドバイスすることができる。時々、栄養溶液に、専門店で手に入るランの肥料を加えてもよい。
【００２３】
一連の試験によって、木炭３が理想的な栽培媒体３であることが示されている。高い炭素成分を有する有機化合物のこの混合物は、低い密度で多孔性部分を形成する。木炭片３は、道具を用いることなく分割され、各ラン２に一つ一つ適用されてもよい。孔は流体の多くの量を収容することができるので、微視的で小さなチャネルによって、木炭は高い吸収能力を有している。この方法によって、水やりに関してたいした苦労もなく、流体を十分に供給することを達成することができる。今日まで、木炭は、流体を綺麗かつ脱色したり、消毒したり、腐りやすい物質を保存したりするために用いられている。一連の試験において、木炭３は、根２０が腐ったり腐敗することを防止し、根２０の傷を治したりもすることさえ示されている。
【００２４】
ラン２の自然の生息地に似た環境は、後述する方法によってガラス体の内部で発生する。
【００２５】
ガラス体１の花瓶足部１０は、花瓶足部１０が熱せられるよう、それを覆う空気を介して熱を吸収し、このことによって、栄養溶液４の温度も上昇する。光放射がガラス体１を通過して木炭に妨害されていない方法で外部から生じるので、木炭３は熱を吸収する。これらの効果は、中央軸１６に沿って徐々に上昇する温度を導く。水４は、花瓶足部１０の領域内の温度によって、栄養溶液４の容積から外方、および木炭３の孔から外方に蒸発し、空気／水蒸気の混合物は花瓶開口１０の方向に上昇する。ラン２の根２０、擬球根２１および葉２２と組み合わされ、記載された花瓶胴部１３の形状によって、ほんのわずかな空気だけが、花瓶開口１１から外方に出る。
【００２６】
特に、根２０の表面に蒸発冷気が発生するため、温度傾斜によって、花瓶開口の近辺に低い温度が広がる。水蒸気は、低温であるため、ガラス体１と、根２０および擬球根２１の上の花瓶開口１１近辺で凝縮し、このことは、ラン２が、湿らされ続けるが、過剰になりすぎないことを意味している。
【００２７】
空気／水蒸気の流れが、根２０が到達していないガラス体１内の容積内に形成される。暖かく湿った空気が逃げはしないが上方に上り、それゆえ水蒸気が凝縮し、これによって空気は再び冷却され、花瓶足部１０の方向に沈む。
【００２８】
根１０によって消散する湿気はガラス体１外方に逃げず、再び根２０に導かれる。この循環は図３内で矢印によって示され、栄養溶液４はより速くない速度で蒸発し、このため、とりわけ葉２２、円錐花序２３および花２４からの湿気の蒸発が起こるときだけ、より長いインターバルでだけ補充される必要があるという事実を導く。
【００２９】
栽培媒体として木炭３を用いることによって根２０が腐ることを防止し、消毒する態様で作用するので、ラン２を別の鉢に植え替えることを遅くしたり、別の鉢に植え替えることをなくしたりすることさえ可能となる。
【図面の簡単な説明】
【００３０】
【図１】ランを有する、本発明による花瓶を示す図。
【図２】栽培媒体と栄養溶液、および花瓶内に配置されたランとともに、本発明による花瓶を示した断面図。
【図３】ガラス体の詳細な断面図。
【符号の説明】
【００３１】
１    ガラス体
１０  花瓶足部 
１１  花瓶開口 
１２  花瓶外壁 
１３  花瓶胴部 
１４  胴部頂点 
１５  胴部端部 
１６  中央軸 
２    ラン 
２０  根 
２１  擬球根 
２２  葉 
２３  円錐花序 
２４  花 
３    栽培媒体＝木炭 
４    栄養溶液＝水
【図１】
2007325582.tif 000003
【図２】
2007325582.tif 000004
【図３】
2007325582.tif 000005
【外国語明細書】
2007325582000001.pdf